(57)【要約】【課題】フラッシュメモリーを備える印刷装置であって、ユーザー利便性を害することなく、また、省エネルギーや資源への負荷という観点においても問題なくフラッシュメモリーの検査・修復処理を実行することのできる印刷装置、等を提供する。【解決手段】フラッシュメモリーを備える印刷装置において、印字処理の終了時、及び又は、印字処理が実行し得ないタイミングで、前記フラッシュメモリーの検査・修復処理を開始する。【選択図】  図２
2018024200.tif 000002
【特許請求の範囲】
【請求項１】
フラッシュメモリーを備える印刷装置であって、
印字処理の終了時、及び又は、印字処理が実行し得ないタイミングで、前記フラッシュ
メモリーの検査・修復処理を開始する
ことを特徴とする印刷装置。
【請求項２】
請求項１において、
前記検査・修復処理中に、他の要求を受信した場合には、前記検査・修復処理を中断す
る
ことを特徴とする印刷装置。
【請求項３】
請求項２において、
前記他の要求は、少なくとも印字処理の要求を含む
ことを特徴とする印刷装置。
【請求項４】
請求項１乃至３のいずれか１項において、
前記検査・修復処理は、前記フラッシュメモリーの全領域を分割した所定領域について
の処理である
ことを特徴とする印刷装置。
【請求項５】
請求項１乃至４のいずれか１項において、
前記フラッシュメモリーは、ＮＡＮＤフラッシュメモリーである
ことを特徴とする印刷装置。
【請求項６】
請求項１乃至５のいずれか１項において、
前記検査・修復処理の終了後、省エネルギーモードへ移行する
ことを特徴とする印刷装置。
【請求項７】
フラッシュメモリーを備える印刷装置の制御方法であって、
印字処理の終了時、及び又は、印字処理が実行し得ないタイミングで、前記フラッシュ
メモリーの検査・修復処理を開始させる
ことを特徴とする制御方法。
【発明の詳細な説明】
【技術分野】
【０００１】
本発明は、フラッシュメモリーを備える印刷装置等に関し、特に、ユーザー利便性を害
することなく、フラッシュメモリーの検査・修復処理を実行することのできる印刷装置等
に関する。
【背景技術】
【０００２】
従来、ＮＡＮＤフラッシュメモリーが様々な電子機器で用いられている。このＮＡＮＤ
フラッシュメモリーでは、リードディスターブエラーが発生することが知られており、当
該エラーが発生する前にメモリーの検査及び必要な修復を行うことが望まれる。なお、リ
ードディスターブとは、データの読み出し対象となっていないセルに近隣セルの動作（デ
ータ読み出し）に伴って電圧が加わり、そのセルの電位がわずかに変化する、ＮＡＮＤフ
ラッシュメモリー特有の現象である。当該現象が繰り返され、読み出し対象となっていな
いセルが、正しい値が読み出せなくなることがある。これをリードディスターブエラーと
いう。
【０００３】
かかる検査・修復処理の方法として、従来、（１）電子機器の電源起動時に検査・修復
処理を実行する方法（下記特許文献１など）、（２）検査・修復処理を定期的に行う方法
、（３）検査・修復処理を電子機器の待機状態の際に行う方法、及び、（４）ＮＡＮＤフ
ラッシュメモリーへのリードアクセス回数を管理して検査・修復処理を実行する方法（下
記特許文献２など）等がある。
【先行技術文献】
【特許文献】
【０００４】
【特許文献１】特開２０１０−１５１９１号公報
【特許文献２】特開２００８−２８７４０４号公報
【発明の概要】
【発明が解決しようとする課題】
【０００５】
しかしながら、ｅＭＭＣ（embedded Multi Media Card）やＳＳＤ（Solid State Drive
）のようにカード化、記憶装置化されていないＮＡＮＤフラッシュメモリーを備え、単一
のＣＰＵで当該ＮＡＮＤフラッシュメモリーの制御と印刷制御を担う印刷装置では、上述
した従来の検査・修復処理の実行方法では以下のような課題がある。
【０００６】
上記（１）の方法では、電子機器の起動が遅くなり、上記（２）の方法では、印刷要求
と当該検査・修復処理の実行タイミングが重なった場合に印刷が待たされ、上記（３）の
方法では、電子機器の待機状態で当該検査・修復処理のため省エネルギーモード（スリー
プモード等）に移行できず省エネルギー効果を得られず、また、上記（４）の方法では、
アクセス回数等を管理するためにファームウェアへの負荷が増大すると共にデータ容量も
余分に必要となる、といった課題がある。
【０００７】
そこで、本発明の目的は、ＮＡＮＤフラッシュメモリーを備える印刷装置であって、ユ
ーザー利便性を害することなく、また、省エネルギーや資源への負荷という観点において
も問題なくＮＡＮＤフラッシュメモリーの検査・修復処理を実行することのできる印刷装
置、等を提供することである。
【課題を解決するための手段】
【０００８】
上記の目的を達成するために、本発明の一つの側面は、ＮＡＮＤフラッシュメモリーを
備える印刷装置において、印字処理の終了時、及び又は、印字処理が実行し得ないタイミ
ングで、前記フラッシュメモリーの検査・修復処理を開始する、ことである。
【０００９】
当該側面により、印字処理を中断させたり、待たせることがないので、ユーザー利便性
を損なうことなく、ＮＡＮＤフラッシュメモリー２４のリードディスターブエラーを防ぐ
ことができる。
【００１０】
更に、上記発明において、その好ましい態様は、前記検査・修復処理中に、他の要求を
受信した場合には、前記検査・修復処理を中断する、ことを特徴とする。
【００１１】
当該態様により、他の要求を待たせることなく実行でき、この点においてもユーザー利
便性を損なうことがない。
【００１２】
更にまた、上記発明において、その好ましい態様は、前記他の要求は、少なくとも印字
処理の要求を含む、ことを特徴とする。
【００１３】
当該態様により、印字処理を待たせることなく実行でき、ユーザー利便性を損なうこと
がない。
【００１４】
また、上記発明において、好ましい態様は、前記検査・修復処理は、前記フラッシュメ
モリーの全領域を分割した所定領域についての処理である、ことを特徴とする。
【００１５】
当該態様により、他の要求と重なることが少なくなる。
【００１６】
更に、上記発明において、その好ましい態様は、前記フラッシュメモリーは、ＮＡＮＤ
フラッシュメモリーである、ことを特徴とする。
【００１７】
当該態様により、ＮＡＮＤフラッシュメモリーに起こるリードディスターブエラーを有
効に防止できる。
【００１８】
更に、上記発明において、その好ましい態様は、前記検査・修復処理の終了後、省エネ
ルギーモードへ移行する、ことを特徴とする。
【００１９】
当該態様により、省エネルギー効果も得られる。
【００２０】
上記の目的を達成するために、本発明の別の側面は、フラッシュメモリーを備える印刷
装置の制御方法において、印字処理の終了時、及び又は、印字処理が実行し得ないタイミ
ングで、前記フラッシュメモリーの検査・修復処理を開始させる、ことである。
【００２１】
本発明の更なる目的及び、特徴は、以下に説明する発明の実施の形態から明らかになる
。
【図面の簡単な説明】
【００２２】
【図１】本発明を適用した印刷装置の実施の形態例に係る構成図である。
【図２】本発明を適用した印刷装置の制御部２の機能構成図である。
【図３】第１の処理方法によるＮＡＮＤフラッシュメモリー２４の検査・修復処理の手順を例示したフローチャートである。
【図４】第２の処理方法によるＮＡＮＤフラッシュメモリー２４の検査・修復処理の手順を例示したフローチャートである。
【発明を実施するための形態】
【００２３】
以下、図面を参照して本発明の実施の形態例を説明する。しかしながら、かかる実施の
形態例が、本発明の技術的範囲を限定するものではない。なお、図において、同一又は類
似のものには同一の参照番号又は参照記号を付して説明する。
【００２４】
図１は、本発明を適用した印刷装置の実施の形態例に係る構成図である。また、図２は
、本発明を適用した印刷装置の制御部２の機能構成図である。図１に示すプリンター１が
本発明を適用した印刷装置であり、本プリンター１は、ＮＡＮＤフラッシュメモリー２４
を備え、単一のＣＰＵ２１で印刷制御とそのＮＡＮＤフラッシュメモリー２４の制御を行
う。本プリンター１は、印字処理の終了時、及び又は、印字処理が実行し得ないタイミン
グで、ＮＡＮＤフラッシュメモリー２４の検査・修復処理を開始し、印字処理などの他の
処理要求を受信した際には、実行中の検査・修復処理を中断する。これにより、ユーザー
利便性を害することなくＮＡＮＤフラッシュメモリー２４の検査・修復処理を実行するこ
とができる。
【００２５】
図１に示す本実施の形態例に係るプリンター１は、一例として、レシート等を印刷する
サーマルプリンターであり、図１に示すように、制御部２と機構部３を備える。制御部２
は、図１に示すようなハードウェア構成であり、ＣＰＵ２１、ＲＡＭ２２、ＡＳＩＣ２３
、ＮＡＮＤフラッシュメモリー２４、及び、ＮＯＲフラッシュメモリー２５を備える。
【００２６】
ＮＡＮＤフラッシュメモリー２４は、ｅＭＭＣ（embedded Multi Media Card）やＳＳ
Ｄ（Solid State Drive）のようにカード化、記憶装置化されていない、いわゆる生のＮ
ＡＮＤフラッシュメモリーである。当該ＮＡＮＤフラッシュメモリー２４には、例えば、
印字処理に用いられるフォントデータやイメージデータ等が記憶される。
【００２７】
ＮＯＲフラッシュメモリー２５は、例えば、ＣＰＵ２１が実行するプログラム（ファー
ムウェア）等を記憶する。
【００２８】
制御部２は、また、図２に示すような機能構成を備え、具体的には、印刷制御部２０１
とＮＡＮＤ制御部２０２を備える。印刷制御部２０１は、印字処理の制御、プリンター１
各部の制御を司る。
【００２９】
ＮＡＮＤ制御部２０２は、ＮＡＮＤフラッシュメモリー２４を制御する部分であり、Ｎ
ＡＮＤ制御部２０２がＮＡＮＤフラッシュメモリー２４の検査・修復処理を制御する。検
査・修復処理は、ＮＡＮＤフラッシュメモリー２４の各セルの状態（データ記憶状態）を
検査し、劣化（データが消えている状況等）が見られる場合には修復を行う処理である。
より具体的には、ＮＡＮＤフラッシュメモリー２４を読み出し、書き込み、消去の度に、
対象エリアにエラーがないか検査を行い、劣化が見られる場合は、そのセルを含むブロッ
クのデータを一時的にＲＡＭ２２に退避して、劣化のあったセルを含むブロックを消去し
、ＲＡＭ２２に退避したデータを元のブロックに書き込む処理（以下、リフレッシュ処理
と呼ぶ）を実行する。
【００３０】
ＮＡＮＤ制御部２０２には、検査・修復部２０３が備えられ、当該検査・修復部２０３
がＮＡＮＤフラッシュメモリー２４の検査・修復処理を実行する。
【００３１】
ＮＡＮＤ制御部２０２は、この検査・修復部２０３を用いたＮＡＮＤフラッシュメモリ
ー２４の検査・修復処理の実行タイミングを制御するが、当該制御に本プリンター１の特
徴がある。具体的には、ＮＡＮＤ制御部２０２は、印字処理の終了時、及び又は、印字処
理が実行し得ないタイミングで、ＮＡＮＤフラッシュメモリー２４の検査・修復処理を開
始し、印字処理などの他の割り込み処理が発生した際に、実行中の検査・修復処理を中断
する、ように制御する。
【００３２】
なお、印刷制御部２０１及びＮＡＮＤ制御部２０２は、それぞれ、制御内容を指示する
プログラム（ファームウェア）、当該プログラムに従って処理を実行するＣＰＵ２１、当
該プログラムを記憶するＮＯＲフラッシュメモリー２５、ＲＡＭ２２、ＡＳＩＣ２３等で
構成される。
【００３３】
次に、機構部３は、制御部２の指示に従って印刷媒体（ここでは、一例として、ロール
紙）に印字処理を実行する部分である。図１に示されるように、機構部３は、印刷機構３
１、搬送機構３２、及び、センサー３３を備える。
【００３４】
印刷機構３１は、印刷ヘッド（サーマルヘッド等）を備え、搬送された印刷媒体に対し
て印字を行う。
【００３５】
搬送機構３２は、搬送ローラー、その駆動装置、搬送路等を備え、印刷媒体を印字位置
まで搬送し、印字後の印刷媒体を排出する。
【００３６】
センサー３３は、プリンター１の各部の状態を検知して、検知した状態を制御部２に出
力する検出部である。センサー３３は、複数のセンサーを含んでおり、具体的には、プリ
ンター１のカバーが開放されたことを検知するセンサー、印刷媒体であるロール紙がなく
なったこと（以降、リアルエンドと称す）を検知するセンサー、カッターの作動開始を検
知するセンサーなどを含む。
【００３７】
以上説明したような構成を備えるプリンター１では、ＮＡＮＤフラッシュメモリー２４
の検査・修復処理に特徴があり、以下、その具体的な処理手順について説明する。
【００３８】
まず、第１の処理方法について説明する。図３は、第１の処理方法によるＮＡＮＤフラ
ッシュメモリー２４の検査・修復処理の手順を例示したフローチャートである。図３には
、ＮＡＮＤ制御部２０２による処理手順が示されている。以下、図３に基づいてＮＡＮＤ
フラッシュメモリー２４の検査・修復処理の内容を説明するが、第１の処理方法では、所
定のタイミングでＮＡＮＤフラッシュメモリー２４の検査・修復処理を開始し、割り込み
処理の時を除いてＮＡＮＤフラッシュメモリー２４のすべての領域について検査・修復処
理を継続して実行する。
【００３９】
まず、ＮＡＮＤ制御部２０２は、開始タイミングが来るのを待つ（図３のステップＳ１
のＮｏ）。ここで開始タイミングとは、印字処理の終了（完了）時、及び又は、印字処理
が実行し得ないタイミングである。印字処理が実行し得ないタイミングとは、具体的には
、プリンター１のカバーが開放された時（カバーオープン時）、印刷媒体（ロール紙）が
リアルエンド状態となったとき（リアルエンド時）、などである。カバーオープン時には
、ユーザーによるロール紙の交換などが行われていることが推察され、印刷制御部２０１
により印字処理は実行しないように制御され、また、リアルエンド時にも印刷媒体がなく
なっているので、印刷制御部２０１により印字処理が実行されないように制御される。ま
た、カバーオープン時、リアルエンド時になったことは、センサー３３による検出に基づ
いて判断される。また、印字処理が終了したことは、印刷制御部２０１からの通知、カッ
ター動作の開始信号などによって判断される。
【００４０】
このような開始タイミングになると（図３のステップＳ１のＹｅｓ）、ＮＡＮＤ制御部
２０２は、ＮＡＮＤフラッシュメモリー２４の最初のブロックから検査・修復処理を開始
しようとする。ＮＡＮＤフラッシュメモリー２４がｎブロックから構成されているとし、
ｉ番目のブロックをブロックｉで表現するものとすると、ＮＡＮＤ制御部２０２は、ｉ＝
１とする（図３のステップＳ２）。
【００４１】
その後、ＮＡＮＤ制御部２０２は、割り込み処理がないことを確認して（図３のステッ
プＳ３のＮｏ）、ＮＡＮＤフラッシュメモリー２４のブロックｉについて（初回にはブロ
ック１について）、検査・修復処理を実行する。当該各ブロックについての検査・修復処
理は、検査・修復部２０３が実行する。
【００４２】
当該各ブロックｉについての検査・修復処理では、具体的には、まず、ＮＡＮＤ制御部
２０２（検査・修復部２０３）は、ブロックｉに記憶されているデータを読み込む（図３
のステップＳ５）。次に、ＮＡＮＤ制御部２０２（検査・修復部２０３）は、当該ブロッ
クｉについてリフレッシュ処理が必要であるか否かを判断する。換言すれば、読み込んだ
データが正常であるか否かを判断する（図３のステップＳ６）。
【００４３】
当該判断の結果、リフレッシュ処理が必要なければ（図３のステップＳ６のＮｏ）、換
言すれば、読み込んだデータが正常であれば、ＮＡＮＤ制御部２０２（検査・修復部２０
３）は、当該ブロックｉについての検査・修復処理を終了し、処理がステップＳ８へ移行
する。
【００４４】
一方、上記判断の結果、リフレッシュ処理が必要であれば（図３のステップＳ６のＹｅ
ｓ）、換言すれば、読み込んだデータが正常でなければ、ＮＡＮＤ制御部２０２（検査・
修復部２０３）は、ブロックｉについてリフレッシュ処理を実行する（図３のステップＳ
７）。
【００４５】
当該リフレッシュ処理では、ＮＡＮＤ制御部２０２（検査・修復部２０３）は、当該ブ
ロックｉのデータを消去し、その後、ブロックｉに再度データを書き込む。その後、処理
がステップＳ３に戻る。
【００４６】
ステップＳ８では、ＮＡＮＤ制御部２０２（検査・修復部２０３）は、全てのブロック
について検査・修復処理が終了したかを判断し、すなわち、ｉ＝ｎであるか否か（ｉ＝ｎ
になったか否か）を判断する。
【００４７】
当該判断の結果、まだ全てのブロックについて検査・修復処理が終了していない場合に
は（図３のステップＳ８のＮｏ）、すなわち、ｉ＜ｎである場合には、ＮＡＮＤ制御部２
０２（検査・修復部２０３）は、次のブロックについて処理を開始する。すなわち、ｉ＝
ｉ＋１とする（図３のステップＳ９）。その後、処理がステップＳ３に戻る。
【００４８】
ステップＳ３において、割り込み処理があった場合には（図３のステップＳ３のＹｅｓ
）、ＮＡＮＤ制御部２０２は、割り込み処理が終了するのを待つ（図３のステップＳ４の
Ｎｏ）。すなわち、開始したＮＡＮＤフラッシュメモリー２４の検査・修復処理を中断す
る。なお、割り込み処理とは、印字処理などであり、印刷制御部２０１が印字要求を受信
したこと等に基づいて、割り込み処理があることが判断される。
【００４９】
割り込み処理が終了すると（図３のステップＳ４のＹｅｓ）、処理がステップＳ３に戻
る。すなわち、ＮＡＮＤ制御部２０２は、検査・修復処理を再開する。
【００５０】
このようにして、開始された検査・修復処理が進み、ＮＡＮＤフラッシュメモリー２４
の全領域、ｎブロックについて検査・修復処理が終了すると、すなわち、ステップＳ８に
おいてｉ＝ｎとなれば（図ｂ３のステップＳ８のＹｅｓ）、ＮＡＮＤ制御部２０２は、Ｎ
ＡＮＤフラッシュメモリー２４の検査・修復処理が終了したことを印刷制御部２０１に通
知する（図３のステップＳ１０）。その後、処理がステップＳ１に戻る。
【００５１】
以上のようにして、第１の処理方法によるＮＡＮＤフラッシュメモリー２４の検査・修
復処理が行われる。
【００５２】
次に、第２の処理方法について説明する。図４は、第２の処理方法によるＮＡＮＤフラ
ッシュメモリー２４の検査・修復処理の手順を例示したフローチャートである。図４には
、ＮＡＮＤ制御部２０２による処理手順が示されている。以下、図４に基づいてＮＡＮＤ
フラッシュメモリー２４の検査・修復処理の内容を説明するが、第２の処理方法では、第
１の処理方法と異なり、所定のタイミングで１ブロックずつＮＡＮＤフラッシュメモリー
２４の検査・修復処理を実行する。
【００５３】
まず、ＮＡＮＤ制御部２０２は、開始タイミングが来るのを待つ（図４のステップＳ２
１のＮｏ）。ここで開始タイミングは、第１の処理方法と同じである。
【００５４】
開始タイミングになると（図４のステップＳ２１のＹｅｓ）、ＮＡＮＤ制御部２０２は
、ＮＡＮＤフラッシュメモリー２４の次のブロックについて検査・修復処理を開始しよう
とする。すなわち、ＮＡＮＤ制御部２０２は、ｉ＝ｉ＋１とする（図４のステップＳ２２
）。また、ＮＡＮＤフラッシュメモリー２４のブロック数の表記は第１の処理方法の場合
と同じである。
【００５５】
その後、ＮＡＮＤ制御部２０２は、割り込み処理がないことを確認して（図４のステッ
プＳ２３のＮｏ）、ＮＡＮＤフラッシュメモリー２４のブロックｉについて、検査・修復
処理を実行する。当該各ブロックについての検査・修復処理は、検査・修復部２０３が実
行する。
【００５６】
当該各ブロックｉについての検査・修復処理は、第１の処理方法の場合と同じである。
すなわち、ステップＳ２５−Ｓ２７の処理は、ステップＳ５−Ｓ７と同様である。
【００５７】
ステップＳ２７の後は、処理がステップＳ２３に戻る。
【００５８】
ステップＳ２３の判断で、割り込み処理があった場合には（図４のステップＳ２３のＹ
ｅｓ）、ＮＡＮＤ制御部２０２は、割り込み処理が終了するのを待つ（図４のステップＳ
２４のＮｏ）。なお、割り込み処理とは、印字処理などであり、印刷制御部２０１が印字
要求を受信したこと等に基づいて、割り込み処理があることが判断される。割り込み処理
が終了すると（図４のステップＳ２４のＹｅｓ）、処理がステップＳ２３に戻る。すなわ
ち、ＮＡＮＤ制御部２０２は、中断していた検査・修復処理を再開する。
【００５９】
ブロックｉについての検査・修復処理が終了すると（図４のステップＳ２６のＮｏ）、
ブロックｉが最後のブロックであるか、すなわち、ｉ＝ｎであるかが判断される（図４の
ステップＳ２８）。
【００６０】
ｉ＝ｎでなければ（図４のステップＳ２８のＮｏ）、ＮＡＮＤ制御部２０２は、当該ブ
ロックｉについての終了通知を印刷制御部２０１に行って（図４のステップＳ３０）、処
理がステップＳ２１に戻る。一方、ｉ＝ｎであれば（図４のステップＳ２８のＮｏ）、Ｎ
ＡＮＤフラッシュメモリー２４の最初のブロックから検査・修復処理を繰り返し実行する
ために、ＮＡＮＤ制御部２０２は、ｉ＝０とし（図４のステップＳ２９）、当該ブロック
ｉについての終了通知を印刷制御部２０１に行って（図４のステップＳ３０）、処理がス
テップＳ２１に戻る。
【００６１】
以上のようにして、第２の処理方法によるＮＡＮＤフラッシュメモリー２４の検査・修
復処理が行われる。
【００６２】
なお、上記第２の処理方法の場合、開始タイミングになった際に、１ブロックずつ処理
を行ったが、１０ブロックずつ、１００ブロックずつ等、所定の複数ブロックずつ処理を
行うようにしてもよい。
【００６３】
また、第１及び第２の処理方法において、終了通知（ステップＳ１０、Ｓ３０）の後、
他の処理要求がなければ、プリンター１を省エネルギーモード（いわゆるスリープモード
等）に移行させるように制御するのが好ましい。
【００６４】
なお、プリンター１が、ラージフォーマットのインクジェットプリンターである場合に
は、ＮＡＮＤフラッシュメモリー２４の検査・修復処理の開始タイミング（ステップＳ１
、Ｓ２１）として、ヘッドのクリーニングを開始するタイミング、切断処理の開始タイミ
ングなどを採用することができる。
【００６５】
以上説明したように、本実施の形態例に係るプリンター１では、ＮＡＮＤフラッシュメ
モリー２４の検査・修復処理を、印字処理の終了後や印字処理が実行し得ないタイミング
で行うので、印字処理を中断させたり待たせることがなく、ユーザー利便性を損なうこと
なく、ＮＡＮＤフラッシュメモリー２４のリードディスターブエラーを防ぐことができる
。
【００６６】
また、ＮＡＮＤフラッシュメモリー２４の検査・修復処理中に、印字処理などを要求さ
れた際には、当該検査・修復処理を中断するので、他の要求を待たせることなく実行でき
、この点においてもユーザー利便性を損なうことがない。
【００６７】
また、第２の処理方法のように分割して処理を行えば、他の処理と重なる機会が減り、
さらに、ユーザー利便性を損なうことがない。
【００６８】
また、ＮＡＮＤフラッシュメモリー２４の検査・修復処理後、省エネルギーモードに移
行させることにより、省エネルギー効果も期待できる。
【００６９】
また、ＮＡＮＤフラッシュメモリー２４へのアクセス回数等に基づく検査・修復処理で
はないので、ファームウェア、データの記憶容量の面においても負荷を小さく抑えること
ができる。
【００７０】
なお、プリンター１の印刷方式は上述した方式以外のものであってもよい。
【００７１】
本発明の保護範囲は、上記の実施の形態に限定されず、特許請求の範囲に記載された発
明とその均等物に及ぶものである。
【符号の説明】
【００７２】
１…プリンター、２…制御部、３…機構部、２１…ＣＰＵ、２２…ＲＡＭ、２３…ＡＳ
ＩＣ、２４…ＮＡＮＤフラッシュメモリー、２５…ＮＯＲフラッシュメモリー、３１…印
刷機構、３２…搬送機構、３３…センサー、２０１…印刷制御部、２０２…ＮＡＮＤ制御
部、２０３…検査・修復部。
【図１】
2018024200.tif 000003
【図２】
2018024200.tif 000004
【図３】
2018024200.tif 000005
【図４】
2018024200.tif 000006